(57)【要約】【課題】電源重畳通信方式において、簡易かつ安価に電源線を延長できる方法および装置を提供する。【解決手段】電源線Ｌの経路上に誘導性素子を有する信号遮断手段３を介在させて電源線Ｌに重畳された電源重畳信号を遮断する。そして、信号遮断手段３の通信方向上流側にて容量性素子４３（または４４）を介して電源線Ｌから電源重畳信号を取り出し、取り出した信号を通信装置４１（または４２）でデジタル信号に変換した後、他方の通信装置４２（または４１）で再び電源重畳信号に変換して信号遮断手段３の通信方向下流側の電源線Ｌに重畳する。通信装置４１，４２および制御手段５の駆動電源は電源線Ｌから供給される電力から生成する。【選択図】  図１
2004260742.tif 000002
【特許請求の範囲】
【請求項１】
通信信号を電源重畳信号に変換して電源線に重畳し伝送する電源重畳通信方式において、
前記電源線の経路上に誘導性素子を介在させて前記電源重畳信号を遮断する一方、前記誘導性素子の通信方向上流側にて第１の容量性素子を介して前記電源重畳信号を電源線から取り出して、この取り出した信号を、前記電源線から電源供給を受ける回路を用いて一旦デジタル信号に変換した後再び電源重畳信号に変換して、この変換後の信号を第２の容量性素子を介して前記誘導性素子の通信方向下流側の電源線に重畳して伝送する
ことを特徴とする通信信号中継方法。
【請求項２】
電源重畳通信方式によって通信線と兼用された電源線の中継装置であって、
前記電源線の経路上に介在して電源重畳信号を遮断する信号遮断手段と、
前記信号遮断手段を迂回する信号伝送経路を形成させる一対の通信手段と、
前記一対の通信手段の間に介在して信号の送受信を制御する制御手段と、
前記電源線に供給される電源から前記通信手段および制御手段の駆動電源を生成する内部電源手段とを備えてなり、
前記通信手段は、電源線から分離された電源重畳信号をデジタル信号に変換して前記制御手段に出力する一方、前記制御手段から入力されたデジタル信号を電源重畳信号に変換して電源線に重畳する
ことを特徴とする通信信号中継装置。
【請求項３】
前記信号遮断手段は、誘導性素子を備えたフィルタ回路で構成され、このフィルタ回路により前記電源線に重畳された電源重畳信号の伝送を遮断することを特徴とする請求項２に記載の通信信号中継装置。
【請求項４】
住宅設備機器と、この住宅設備機器から電源重畳通信方式により電源供給を受けるとともに、前記電源重畳信号として制御信号等のやりとりを行なう付属装置とからなる住宅設備機器システムにおいて、
前記住宅設備機器と付属装置との間の電源線に、請求項２または３に記載の通信信号中継装置が介装されてなる
ことを特徴とする住宅設備機器システム。
【発明の詳細な説明】
【０００１】
【発明の属する技術分野】
この発明は、通信信号中継方法およびその中継装置ならびに住宅設備機器システムに関し、より詳細には、いわゆる電源重畳通信方式において、電源重畳信号を伝送する電源線のラインインピーダンスの影響を受けずに電源線を延長可能にする技術に関する。
【０００２】
【従来の技術】
【特許文献１】特開２００１−４２１５号公報
従来、給湯装置においては、リモコンやソーラー温水器接続ユニット、即出湯ユニット等の各種付属装置との間で送受信する制御信号やデータ信号などの各種信号を、給湯装置からこれらの付属装置に電力を供給するために設けた電源供給線（電源線）に重畳して伝送する方式が広く採用されている（電源重畳通信方式）。
【０００３】
このような電源重畳通信方式では、電源供給元となる給湯装置と電源供給を受ける付属装置との距離が離れると、両者の間に配設される上記電源線の敷設距離が長くなり、その結果、電源線のラインインピーダンスによって電源重畳信号の信号波形の振幅が減衰して、給湯装置と付属装置との間で制御信号等を正しく伝送することができなくなる場合がある。
【０００４】
そのため、従来の給湯装置においては、電源線の敷設距離が長くなる場合には、上記特許文献１に示すような中継装置を用いることが提案されている。
【０００５】
この中継装置は、図４に示すように、図中の破線の部分で給湯装置ａ側と付属機器ｂ側とを電気的に絶縁し、これらの間をフォトダイオードとフォトカプラとからなる送受信装置（インターフェース）ｃで通信するように構成して、ラインインピーダンスによる信号波形の振幅減衰を防止している。
【０００６】
ところで、このような構成の中継装置においては、給湯装置ａから供給される電源（図示例では１５Ｖ（１））は、図示のように、給湯装置ａ側における通信回路（電源線から分離された電源重畳信号をデジタル信号に変換して送受信装置ｃに送出するとともに、送受信装置ｃから入力されたデジタル信号を電源重畳信号に変換する回路）ｄの駆動電源Ｖｃｃ（１）の生成に用いられ、付属装置ｂに供給する電源（図示例では１５Ｖ（２））や付属装置ｂ側の通信回路ｅなどの駆動電源Ｖｃｃ（２）は、中継装置に備えられた安定化電源装置（たとえばスイッチング電源装置）ｆを用いて商用電源から生成するようにされている。
【０００７】
【発明が解決しようとする課題】
しかしながら、このような中継方式では以下のような問題がありその改善が望まれていた。
【０００８】
すなわち、上述した従来の中継装置では、付属装置に供給される電源は中継装置に備えられた安定化電源装置で生成されるので、かかる中継装置を用いて信号線（電源線）を延長しようとすると、当該安定化電源装置に電力を供給する電源（図４のＡＣ１００Ｖ（２）に示すような商用電源）が別途必要となり、かかる商用電源がなければ中継装置が使用できず、信号線の延長が行なえないという問題があった。
【０００９】
また、従来の中継装置は、該装置に内蔵された安定化電源装置で生成した直流電源（図示例では１５Ｖ（２））を付属装置に供給するので、電流容量の確保が容易であるという利点はあるものの、給湯装置側の電源で十分な電流容量を確保できる場合にも、安定化電源装置が必須の構成となるので、中継装置の製造コストが高くつくというデメリットもあった。
【００１０】
本発明はかかる従来の問題点に鑑みてなされたものであって、その目的とするところは、電源重畳通信方式において、簡易かつ安価に電源線を延長できる方法および装置を提供することを主たる目的とする。
【００１１】
【課題を解決するための手段】
上記目的を達成するため、本発明に係る通信信号中継方法は、通信信号を電源重畳信号に変換して電源線に重畳し伝送する電源重畳通信方式において、前記電源線の経路上に誘導性素子を介在させて前記電源重畳信号を遮断する一方、前記誘導性素子の通信方向上流側にて第１の容量性素子を介して前記電源重畳信号を電源線から取り出して、この取り出した信号を、前記電源線から電源供給を受ける回路を用いて一旦デジタル信号に変換した後再び電源重畳信号に変換して、この変換後の信号を第２の容量性素子を介して前記誘導性素子の通信方向下流側の電源線に重畳して伝送することを特徴とする。
【００１２】
また、本発明の通信信号中継装置は、電源重畳通信方式によって通信線と兼用された電源線の中継装置であって、前記電源線の経路上に介在して電源重畳信号を遮断する信号遮断手段と、前記信号遮断手段を迂回する信号伝送経路を形成させる一対の通信手段と、前記一対の通信手段の間に介在して信号の送受信を制御する制御手段と、前記電源線に供給される電源から前記通信手段および制御手段の駆動電源を生成する内部電源手段とを備えてなり、前記通信手段は、電源線から分離された電源重畳信号をデジタル信号に変換して前記制御手段に出力する一方、前記制御手段から入力されたデジタル信号を電源重畳信号に変換して電源線に重畳することを特徴とする。
【００１３】
そして、その好適な実施態様として、前記信号遮断手段は、誘導性素子を備えたフィルタ回路で構成され、このフィルタ回路により前記電源線に重畳された電源重畳信号の伝送を遮断することを特徴とする。
【００１４】
また、本発明の住宅設備機器システムは、住宅設備機器と、この住宅設備機器から電源重畳通信方式により電源供給を受けるとともに、前記電源重畳信号として制御信号等のやりとりを行なう付属装置とからなる住宅設備機器システムにおいて、前記住宅設備機器と付属装置との間の電源線に上記通信信号中継装置が介装されてなることを特徴とする。
【００１５】
【発明の実施の形態】
以下、本発明の一実施形態を図面に基づいて詳細に説明する。
【００１６】
図１は本発明に係る通信信号中継装置（以下、中継装置）１の概略構成を示すブロック図であり、図２は上記中継装置１の回路構成の一例を示している。
【００１７】
この中継装置１は、直流電力を供給するための電源線に通信信号を重畳させて伝送する電源重畳通信方式を採用した通信システムにおいて、信号伝送用の電源線を延長するために用いられる信号中継用のユニットを構成するものであって、当該ユニットのケーシング２内に、信号遮断手段３と、通信手段４と、制御手段５と、内部電源手段６とを主要部として備えて構成される。
【００１８】
そして、図１は、給湯装置（住宅設備機器）１００と、そのリモコン（付属装置）１０１との間で電源重畳通信方式を用いて制御信号やデータ信号などの通信信号の送受信を行なうように構成した給湯器システム（住宅設備機器システム）において、これらの間に配設される信号伝送用の電源線Ｌの延長に本発明の中継装置１を用いた場合を示している。
【００１９】
ここで、この図１に示す給湯器システムでは、上記リモコン１０１は、上記電源線Ｌを介して給湯装置１００から電源供給を受けるように構成されている。つまり、図示の給湯装置１００は、リモコン１０１に供給する電力を商用電源から生成する電源回路（図示せず）を備えており、この電源回路によって生成した電力（本実施形態では直流１５Ｖ）を上記電源線Ｌを介してリモコン１０１に供給するように構成されている。
【００２０】
また、電源重畳通信方式で通信信号を送受信することにともなって、上記給湯装置１００およびリモコン１０１には、それぞれ電源重畳通信方式で上記通信信号の送受信を行うための通信装置８が備えられている。
【００２１】
この通信装置８は、給湯装置１００やリモコン１０１の制御装置（マイクロコンピュータ）９から出力されるデジタル形式の通信信号を所定の電源重畳信号に変換して、この電源重畳信号を上記電源線Ｌに重畳し送信する一方、上記電源線Ｌを介して伝送される電源重畳信号を電源から分離して制御装置９で処理可能なデジタル形式の信号に変換するものであって、デジタル信号の「０（Ｌｏｗ）」，「１（Ｈｉｇｈ）」に対応させて所定の信号（本実施形態では、「０」のときにのみ２５０キロヘルツの正弦波信号）を出力するように構成されている。なお、この通信装置８は、電源重畳通信方式において既に公知の技術であるので、ここではその詳細な説明は省略するが、本実施形態ではこの通信装置８として集積化された通信ＩＣが用いられている。
【００２２】
信号遮断手段３は、上記電源線Ｌの経路上に介在し、電源線Ｌに重畳して伝送される電源重畳信号の伝送を遮断するものであって、誘導性素子を備えたフィルタ回路で構成される。具体的には、たとえば図２に示すように、上記誘導性素子としてのコイル３１，３２と、コンデンサ３３とからなるＬＣ回路で構成される。
【００２３】
このフィルタ回路は、上述した電源重畳信号の周波数（本実施形態では２５０キロヘルツ）に対応して、当該周波数およびその周辺の周波数の信号の通過を阻止する帯域阻止フィルタで構成される。そのため、このフィルタ回路を挿入することによって、上記直流１５Ｖの電源を供給する電源ラインは生かしたままで、通信ラインが縁切される。これにより、電源供給を阻害することなく電源重畳信号の伝送のみが遮断される。
【００２４】
通信手段４は、上記信号遮断手段３を迂回する信号伝送経路を形成するとともに、上記電源重畳信号をデジタル信号に変換してこの信号伝送経路を伝送させるものであって、上記信号遮断手段３の両端に設けられる一対の通信装置４１，４２と、これら通信装置４１，４２と電源線Ｌとの間に介装される容量性素子４３，４４とを主要部として構成される。
【００２５】
具体的には、図２の矢符号に示すように、上記通信装置４１，４２は、給湯装置１００からリモコン１０１への信号伝送経路と、リモコン１０１から給湯装置１００への信号伝送経路の２系統の通信経路を有してなり、これらの間に後述する制御手段５が介装される。
【００２６】
上記容量性素子４３，４４は、電源線Ｌから電源重畳信号を分離し、または重畳するために設けられたコンデンサであって、本実施形態では、通信装置４１，４２が２系統の信号伝送経路を有することに対応して、通信装置４１（４２）には、信号入力用の素子（第１の容量性素子）４３ａ（４４ａ）と、信号出力用の素子（第２の容量性素子）４３ｂ（４４ｂ）とが設けられる。
【００２７】
そのため、電源線Ｌを介して伝送される電源重畳信号は、信号入力用の容量性素子４３ａ，４４ａを介して電源から分離されて通信装置４１，４２に供給されるとともに、通信装置４１，４２から出力される電源重畳信号が信号出力用の容量性素子４３ｂ，４４ｂを介して電源線Ｌに重畳可能とされている。
【００２８】
一方、上記通信装置４１（または４２）は、容量性素子４３ａ（または４４ａ）を介して電源線Ｌから分離された電源重畳信号をデジタル信号に変換して送受信するための通信装置である。具体的には、これら通信装置４１（または４２）は、上記容量性素子４３ａ（または４４ａ）を介して入力される信号について、上述した２５０キロヘルツの正弦波信号の有無を検知して、当該正弦波信号がある場合には対応するデジタル信号の「０」を後述する制御手段５に出力する一方、正弦波信号がない場合には制御手段５に対して「１」の信号を出力する。また、制御手段５からデジタル信号の「０」が入力されると信号出力用の容量性素子４３ｂ（または４４ｂ）に対して２５０キロヘルツの正弦波信号を出力する一方、デジタル信号の「１」が入力された場合には正弦波信号の出力を停止するように構成されている。
【００２９】
つまり、これら通信装置４１，４２は、電源線Ｌから分離された電源重畳信号から上記正弦波の有無を検波する検波手段と、上記検波手段での検波結果に基づいてデジタル信号を生成するデジタル信号生成手段と、制御手段５から送信されるデジタル信号に基づいて上記正弦波信号を生成・出力する正弦波信号発生手段とを有して構成される。
【００３０】
なお、本実施形態では、これら通信装置４１，４２としては、これらの各種手段を１チップに集積化してなる通信ＩＣが用いられる。また、上記検波手段は、上記電源線Ｌに重畳される電源重畳信号の周波数（本実施形態では、２５０キロヘルツ）およびその周辺の周波数の信号のみを通過させる帯域通過フィルタ（バンド・パス・フィルタ）を備え、通信信号とは無関係な信号（雑音）を除去するように構成される。また、検波手段は、該フィルタを通過した信号のうち所定レベル以上の振幅をもった信号のみを検波するものとされる。
【００３１】
制御手段５は、上記一対の通信装置４１，４２の間に介在して信号の送受信を制御する（具体的には閉ループ発振を防止する）ものであって、マイクロコンピュータで構成される。
【００３２】
すなわち、本実施形態に示した上記通信装置４１，４２は、電源重畳信号からデジタル信号、デジタル信号から電源重畳信号にそれぞれ自動的に変換する機能は有しているが、通信信号に含まれている送信側と受信側とを識別するための識別データを解読する機能を備えていない。そのため、制御手段５を設けずに通信を行わせると、各通信装置４１，４２は自身が電源線Ｌに出力した電源重畳信号をも検出してデジタル信号に変換することになり、その結果、中継装置１内でいわゆる閉ループ発振が発生する。
【００３３】
制御手段５は、このような閉ループ発振を防止するために、上述した識別データを解読して、他方の通信装置に伝送する必要が有る信号か否かを判断し、伝送不要な場合には他方の通信装置への伝送を行わないようにして、閉ループ発振を防止する。
【００３４】
内部電源手段６は、給湯装置１００側の電源線Ｌから電力（本実施例では直流１５Ｖ）を取り出して中継装置１の各部（上述した通信装置４１，４２および制御手段５など）の駆動電源Ｖｃｃ（たとえば直流５Ｖ）を生成するＤＣコンバータで構成される。つまり、本発明の中継装置１は、従来の中継装置のように商用電源などの交流電源から直接電源を得ることなく、電源重畳通信方式における電源線Ｌから電力を得て各部の駆動電源Ｖｃｃを生成するように構成されている。したがって、中継装置１の使用にあたって、通信信号が重畳された電源線以外（たとえば商用電源）に別途電源供給用のラインを設ける必要がないので、近傍に商用電源のコンセント等がなくとも電源線Ｌの延長を行なうことができる。
【００３５】
なお、図中符号７で示すのは電源線Ｌを中継装置１に接続するための接続用端子であり、図示のように一対の端子７１，７２で構成される。これら端子７１，７２は、一方（図示例では７１）が給湯装置側として、また他方が（図示例では７２）がリモコン側としてケーシング２に設けられ、これら両端子７１，７２間が上記フィルタ回路３を介して接続される。
【００３６】
なお、この接続用端子７に関して、本実施形態では上記電源線Ｌとして二芯の電源線を用いているので、端子７１への電源線Ｌの接続にあたっては電源の極性を考慮することが必要になるが、たとえば、端子７１の内側にブリッジダイオード回路を挿入して無極性化を図ることにより、施工者が極性を意識することなく電源線Ｌの接続を行えるようにしておくことができ、かかる構成を採用するのが好ましい。
【００３７】
また、図中符号８で示すコイルは、内部電源手段６に通信信号等の雑音が入力されないようにするためのフィルタである。
【００３８】
しかして、以上のように構成されてなる中継装置１の動作について、給湯装置１００からリモコン１０１に対して制御信号を送信した場合を例にとって説明する。また、以下においては説明の便宜上、電源線Ｌのうち中継装置１を挟んで給湯装置側の電源線をＬａ、リモコン側の電源線をＬｂとする。
【００３９】
給湯装置１００からリモコン１０１に制御信号が送信される場合、当該制御信号は、給湯装置１００の通信装置８において所定の電源重畳信号に変換され、電源線Ｌを介してリモコン１０１に向けて送信される。つまり、本実施形態では、上記制御信号は、給湯装置１００からリモコン１０１に直流１５Ｖの電圧を供給する電源線Ｌａに重畳して送信される。
【００４０】
電源線Ｌａに重畳された制御信号（電源重畳信号）は、上記直流１５Ｖの電力とともに端子７１から中継装置１に取り込まれる。この時、端子７１，７２間にはフィルタ回路を構成するコイル３１、３２が介装されているので、直流電源は端子７２にそのまま供給されるが、制御信号はフィルタ回路の誘導性素子によってその伝送が阻害され、フィルタ回路３の通信方向上流側にあるコンデンサ（容量性素子）４３ａを介して通信装置４１に入力される。
【００４１】
通信装置４１では、このようにして電源線Ｌａから分離された制御信号を上述した手順、つまり２５０キロヘルツ正弦波信号があるときはデジタル信号の「０」を、また正弦波信号がないときはデジタル信号「１」を制御手段５に出力する。制御手段５は、受信したデジタル信号から識別データを解析して相手局である通信装置４２に伝送が必要な信号か否かを識別し、伝送が必要な信号であると判断すればその信号を通信装置４２に対して出力する。
【００４２】
通信装置４２は、このようにして制御手段５から出力されたデジタル信号を受信して、これを再び上述した手順、つまりデジタル信号が「０」のときは２５０キロヘルツの正弦波信号を出力し、デジタル信号が「１」のときは上記正弦波の出力を停止することにより、デジタル信号を元の電源重畳信号に変換して、フィルタ回路３の通信方向下流側にあるコンデンサ４４ｂを介して電源線Ｌに重畳する。
【００４３】
つまり、本実施形態では、端子７１から入力された制御信号は、フィルタ回路３を迂回する信号伝送経路（通信装置４１、制御手段５、通信装置４２）を経由して再び電源線Ｌに重畳され、端子７２から電源線Ｌｂを介してリモコン１０１に伝送される。
【００４４】
なお、リモコン１０１から給湯装置１００に向けて送信される信号は、上述したのと反対の伝送経路（つまり、電源線Ｌｂ，通信装置４２、制御手段５、通信装置４１、電源線Ｌａ）を通り、上記同様に一旦デジタル信号に変換された後再び電源重畳信号に変換されて給湯装置１００に伝送される。
【００４５】
このように本発明の中継装置１を介装すれば、中継装置１を介して延長された電源線Ｌは、これを通信ラインとして見た場合、上記信号遮断手段３で一旦縁切りされているので、延長によるラインインピーダンスの増加が防止される。しかも、伝送される電源重畳信号は、通信手段４によって一旦デジタル信号に変換した後再び電源重畳信号に変換するので、この過程で減衰していた電源重畳信号の振幅が減衰前の状態に再生される。その結果、電源線Ｌを延長した場合の電源重畳信号の振幅減衰による通信障害を解消することができる。
【００４６】
しかも、本発明の中継装置１は、その駆動電源を電源線Ｌから供給される直流電力から得ているので、従来のような安定化電源装置（スイッチング電源装置）を必要とせずに簡易な構成で電源線Ｌの延長をすることができる。
【００４７】
なお、上述した実施形態はあくまでも本発明の好適な実施態様を示すものであって、本発明はこれらに限定されることなくその範囲内で種々の設計変更が可能である。
【００４８】
たとえば、上述した実施形態では、給湯装置（住宅設備機器）１００とそのリモコン（付属装置）１０１とが一対一の関係にある場合を示したが、住宅設備機器１００とその付属機器１０１の接続関係はこれに限定されず適宜変更可能である。たとえば図３（ａ）  に示すように、特定の付属機器１０１ａとの関係でのみ中継装置１を用い、他の付属機器１０１ｂ，１０１ｃは中継装置１を用いずに接続することも可能であり、また、図３（ｂ）  に示すように、住宅設備機器１００と付属機器１０１ｄとの間に複数（図示例では２台）の中継装置１を直列に介在させることも可能である。さらにまた、図３（ｃ）  に示すように、各付属装置１０１ｅ，１０１ｆ毎に中継装置１を介在させることも可能である。
【００４９】
また、上述した実施形態では、上記信号遮断手段３をコイル３１，３２とコンデンサ３３とからなるＬＣ回路で構成した場合を示したが、直流電源の供給を阻害せず、かつ通信信号の伝送のみを遮断する構成であれば、上記以外の他の回路構成を採用することも可能である。
【００５０】
また、上述した実施形態では、本発明の中継装置１を、給湯装置１００とリモコン１０１の間に設けられた電源線Ｌの延長に用いた場合を示したが、本発明の中継装置１は給湯装置１００に接続可能な他の付属装置（たとえばソーラー温水器接続ユニットや即出湯ユニット、洗濯注湯ユニットなど）との間に配される電源線の延長に用いることも可能である。また、上述した実施形態では給湯装置１００の付属装置としてリモコン１０１のみを示したが、端子７２に複数の付属装置を接続することも可能である。また、本発明は、給湯装置１００以外の他の住宅設備機器とその付属装置との間の電源線の延長にも適用可能である。要は、電源重畳通信方式を採用する機器間に配された電源線の延長に適用可能である。
【００５１】
【発明の効果】
以上詳述したように、本発明によれば、通信信号を電源重畳信号に変換して電源線に重畳し伝送する電源重畳通信方式において、上記電源線を延長するにあたり、上記電源線の経路上に誘導性素子を介在させて電源重畳信号の伝送を遮断し、この誘導性素子の通信方向上流側にて第１の容量性素子を介して電源重畳信号を取り出して、この取り出した信号を、上記電源線から電源供給を受ける回路を用いてデジタル信号に変換するとともに再び元の電源重畳信号に変換し、この変換後の信号を第２の容量性素子を介して上記誘導性素子の通信方向下流側の電源線に重畳して伝送するので、通信信号の伝送路を見た場合、上記電源線は上記誘導性素子の所で縁切りされているので、電源線の延長によるラインインピーダンスの増加を抑制することができる。
【００５２】
また、中継装置内で、電源重畳信号を一旦デジタル信号に変換することにより、この段階で元のデジタル信号が再現されるので、電源線のラインインピーダンスによる電源重畳信号の振幅の減衰は、中継装置と住宅設備機器または付属装置との間でのみ考慮すればよく、実質的な信号伝送距離を短くすることができ、ラインインピーダンスによる信号の劣化を少なくすることができる。
【００５３】
また、通信手段や制御手段の駆動電源を電源重畳伝送方式で用いられる電源線から得ているので、商用電源から電力をえるための安定化電源装置が必要なく、簡易な構成で通信信号を中継することができる。そのため、電源線が屋外に配設されることが多い住宅設備機器における電源線の延長に適した中継方法および中継装置を提供することができる。
【図面の簡単な説明】
【図１】本発明に係る中継装置の概略構成を示すブロック図であり、同中継装置を給湯装置とリモコンとの間の電源線の延長に用いた場合を示している。
【図２】同中継装置の回路構成の一例を示す回路図である。
【図３】同中継装置の使用態様の一例を示しており、図３（ａ）  は特定の付属機器との関係でのみ中継装置を用いた場合を示しており、図３（ｂ）は複数の中継装置を直列に介在させた場合を示しており、図３（ｃ）  は各付属装置毎に中継装置を介在させた場合を示している。
【図４】従来の中継装置の概略構成を示すブロック図である。
【符号の説明】
１            中継装置
２            ケーシング
３            信号遮断手段
３１          コイル（誘導性素子）
４            通信手段
４１，４２    通信装置
４３，４４    コンデンサ（容量性素子）
５            制御手段
６            内部電源手段
７            電源線接続用端子
１００        給湯装置（住宅設備機器）
１０１        リモコン（付属装置）
Ｌ            電源線
【図１】
2004260742.tif 000003
【図２】
2004260742.tif 000004
【図３】
2004260742.tif 000005
【図４】
2004260742.tif 000006